【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
オーディオ・システムのデコーダにおいてダイアログを向上させる方法であって：
より多くの複数のチャネルのダウンミックスである複数のダウンミックス信号を受領する段階と；
ダイアログを含むチャネルを含む前記複数のチャネルの部分集合に関して定義されている、ダイアログ向上のためのパラメータを受領する段階であって、前記複数のチャネルの前記部分集合は前記複数のダウミックス信号の部分集合にダウンミックスされている、段階と；
前記複数のダウンミックス信号の前記部分集合にダウンミックスされているチャネルのパラメトリック再構成を許容する再構成パラメータを受領する段階と；
ダイアログ向上のための前記パラメータが定義されている前記複数のチャネルの前記部分集合を含む前記複数のチャネルの部分集合のみを再構成するために前記再構成パラメータに基づいてパラメトリックに前記複数のダウンミックス信号の前記部分集合のみをアップミックスする段階と；
ダイアログ向上のための前記パラメータが定義されている前記複数のチャネルの前記部分集合に対して、ダイアログ向上のための前記パラメータを使ってダイアログ向上を適用して、少なくとも一つのダイアログ向上された信号を提供する段階と；
前記少なくとも一つのダイアログ向上された信号を少なくとも一つの他の信号と混合することによって、前記複数のダウンミックス信号の前記部分集合のダイアログ向上されたバージョンを提供する段階とを含む、
方法。
【請求項２】
前記複数のダウンミックス信号の前記部分集合のみをパラメトリックにアップミックスする段階において、ダイアログ向上のための前記パラメータが定義されている前記複数のチャネルの前記部分集合を含む前記複数のチャネルの部分集合のみを再構成するために、脱相関された信号は使われない、請求項１記載の方法。
【請求項３】
前記混合は、前記少なくとも一つのダイアログ向上された信号の、前記複数のダウンミックス信号の前記部分集合のダイアログ向上されたバージョンへの寄与を記述する混合パラメータに従ってなされる、請求項１記載の方法。
【請求項４】
前記複数のダウンミックス信号の前記部分集合のみをパラメトリックにアップミックスする段階は、ダイアログ向上のための前記パラメータが定義されている前記複数のチャネルの前記部分集合のみを再構成することを含み、
ダイアログ向上を適用する段階は、ダイアログ向上のための前記パラメータが定義されている前記複数のチャネルの前記部分集合からのダイアログ成分を、ダイアログ向上のための前記パラメータを使って予測し、向上させ、それにより前記少なくとも一つのダイアログ向上された信号を提供することを含み、
前記混合は、前記少なくとも一つのダイアログ向上された信号を前記複数のダウンミックス信号の前記部分集合と混合することを含む、
請求項１ないし３のうちいずれか一項記載の方法。
【請求項５】
ダイアログを表わすオーディオ信号を受領する段階をさらに含み、ダイアログ向上を適用する段階は、ダイアログ向上のための前記パラメータが定義されている前記複数のチャネルの前記部分集合に対して、さらに前記ダイアログを表わすオーディオ信号を使ってダイアログ向上を適用することを含む、請求項１ないし４のうちいずれか一項記載の方法。
【請求項６】
前記少なくとも一つのダイアログ向上された信号を少なくとも一つの他の信号と混合するために混合パラメータを受領することをさらに含む、請求項１ないし５のうちいずれか一項記載の方法。
【請求項７】
前記複数のダウンミックス信号の前記部分集合のみをアップミックスする段階、ダイアログ向上を適用する段階および混合する段階は、それぞれ前記再構成パラメータ、ダイアログ向上のための前記パラメータおよび前記混合パラメータによって定義される行列演算として実行され、
任意的に、
前記複数のダウンミックス信号の前記部分集合のみをアップミックスする段階、ダイアログ向上を適用する段階および混合する段階に対応する行列演算を、前記複数のダウンミックス信号の前記部分集合への適用前に、行列乗算によって単一の行列演算に組み合わせることをさらに含む、
請求項１ないし６のうちいずれか一項記載の方法。
【請求項８】
前記ダイアログ向上パラメータおよび前記再構成パラメータが周波数依存であり、
任意的に、
ダイアログ向上のための前記パラメータは、第一の集合の周波数帯域に関して定義されており、前記再構成パラメータは第二の集合の周波数帯域に関して定義されており、周波数帯域の前記第二の集合は周波数帯域の前記第一の集合とは異なる、
請求項１ないし７のうちいずれか一項記載の方法。
【請求項９】
ダイアログ向上のための前記パラメータの値が繰り返し受領され、それぞれの値が厳密に適用される時点の第一の集合に関連付けられており、連続する時点の間では、あらかじめ定義された第一の補間パターンが実行され、
前記再構成パラメータの値が繰り返し受領され、それぞれの値が厳密に適用される時点の第二の集合に関連付けられており、連続する時点の間では、あらかじめ定義された第二の補間パターンが実行され、
当該方法はさらに：
ダイアログ向上のためのパラメータまたは再構成パラメータのいずれかであるパラメータ型を選択する段階であって、選択された型に関連付けられた時点の集合が、選択されなかった型に関連付けられた集合に存在しない時点である少なくとも一つの予測時点を含む、段階と；
前記予測時点における選択されなかった型のパラメータの値を予測する段階と；
少なくとも選択されなかった型のパラメータの予測された値および選択された型のパラメータの受領された値に基づいて、前記予測時点における前記ダウンミックス信号の前記部分集合のみのアップミックスおよびそれに続くダイアログ向上を少なくとも表わす統合処理動作を計算する段階と；
少なくともいずれかが受領された値である選択された型のパラメータの値および選択されなかった型のパラメータの値に少なくとも基づいて、前記選択された型または選択されなかった型に関連付けられた集合における隣接する時点における前記統合処理動作を計算する段階とを含み、
前記複数のダウンミックス信号の前記部分集合のみをアップミックスする段階およびダイアログ向上を適用する段階は、前記予測時点と前記隣接する時点との間で、計算された統合処理動作の補間された値によって実行される、
請求項１ないし８のうちいずれか一項記載の方法。
【請求項１０】
前記選択された型のパラメータは前記再構成パラメータである、請求項９記載の方法。
【請求項１１】
前記隣接する時点における前記統合処理動作は、前記選択された型のパラメータの受領された値および前記選択されなかった型のパラメータの受領された値に基づいて計算される、請求項９または１０記載の方法。
【請求項１２】
前記第一および第二の補間パターンに基づいて、あらかじめ定義された選択規則に従って統合補間パターンを選択する段階をさらに含み、
計算されたそれぞれの統合処理動作の前記補間は前記統合補間パターンに基づく、
請求項９ないし１１のうちいずれか一項記載の方法。
【請求項１３】
前記あらかじめ定義された選択規則は、前記第一および第二の補間パターンが異なる場合について定義され、
任意的に、
前記第一の補間パターンが線形であり、前記第二の補間パターンが区分一定であることに応答して、前記統合補間パターンとして線形補間が選択される、
請求項１２記載の方法。
【請求項１４】
前記予測時点における前記選択されなかった型のパラメータの値の予測は、前記選択されなかった型のパラメータについての補間パターンに従ってなされる、請求項９ないし１３のうちいずれか一項記載の方法。
【請求項１５】
前記統合処理動作は、前記複数のダウンミックス信号の前記部分集合に適用される前に、単一の行列演算として計算され、
任意的に、
前記統合補間パターンとして線形補間が選択され；
計算されたそれぞれの統合処理動作の補間された値は線形行列補間によって計算される、
請求項９ないし１４のうちいずれか一項記載の方法。
【請求項１６】
前記少なくとも一つのダイアログ向上された信号を少なくとも一つの他の信号と混合するこごが、前記複数のダウンミックス信号の完全でないセレクションに制約される、請求項１ないし１５のうちいずれか一項記載の方法。
【請求項１７】
請求項１ないし１６のうちいずれか一項記載の方法を実行するための命令をもつコンピュータ可読媒体を有するコンピュータ・プログラム・プロダクト。
【請求項１８】
オーディオ・システムにおいてダイアログを向上させるためのデコーダであって、請求項１ないし１６のうちいずれか一項記載の方法を実行するよう構成された一つまたは複数のコンポーネントを有する、デコーダ。
【手続補正２】
【補正対象書類名】明細書
【補正対象項目名】０１１２
【補正方法】変更
【補正の内容】
【０１１２】
上記で開示されたシステムおよび方法は、ソフトウェア、ファームウェア、ハードウェアまたはそれらの組み合わせとして実装されうる。ハードウェア実装では、上記の記述で言及された機能ユニットの間でのタスクの分割は必ずしも物理的なユニットへの分割に対応しない。逆に、一つの物理的コンポーネントが複数の機能を有していてもよく、一つのタスクが協働するいくつかの物理的コンポーネントによって実行されてもよい。ある種のコンポーネントまたはすべてのコンポーネントは、デジタル信号プロセッサまたはマイクロプロセッサによって実行されるソフトウェアとして実装されてもよく、あるいはハードウェアとしてまたは特定用途向け集積回路として実装されてもよい。そのようなソフトウェアは、コンピュータ記憶媒体（または非一時的な媒体）および通信媒体（または一時的な媒体）を含みうるコンピュータ可読媒体上で頒布されてもよい。当業者にはよく知られているように、コンピュータ記憶媒体という用語は、コンピュータ可読命令、データ構造、プログラム・モジュールまたは他のデータのような情報の記憶のための任意の方法または技術において実装される揮発性および不揮発性、リムーバブルおよび非リムーバブル媒体を含む。コンピュータ記憶媒体は、これに限られないが、RAM、ROM、EEPROM、フラッシュメモリまたは他のメモリ技術、CD-ROM、デジタル多用途ディスク（DVD）または他の光ディスク記憶、磁気カセット、磁気テープ、磁気ディスク記憶または他の磁気記憶デバイスまたは、所望される情報を記憶するために使用されることができ、コンピュータによってアクセスされることができる他の任意の媒体を含む。さらに、通信媒体が典型的にはコンピュータ可読命令、データ構造、プログラム・モジュールまたは他のデータを、搬送波または他の転送機構のような変調されたデータ信号において具現し、任意の情報送達媒体を含むことは当業者にはよく知られている。
いくつかの態様を記載しておく。
〔態様１〕
オーディオ・システムのデコーダにおいてダイアログを向上させる方法であって：
より多くの複数のチャネルのダウンミックスである複数のダウンミックス信号を受領する段階と；
ダイアログを含むチャネルを含む前記複数のチャネルの部分集合に関して定義されている、ダイアログ向上のためのパラメータを受領する段階であって、前記複数のチャネルの前記部分集合は前記複数のダウミックス信号の部分集合にダウンミックスされている、段階と；
前記複数のダウンミックス信号の前記部分集合にダウンミックスされているチャネルのパラメトリック再構成を許容する再構成パラメータを受領する段階と；
ダイアログ向上のための前記パラメータが定義されている前記複数のチャネルの前記部分集合を再構成するために前記再構成パラメータに基づいてパラメトリックに前記複数のダウンミックス信号の前記部分集合をアップミックスする段階と；
ダイアログ向上のための前記パラメータが定義されている前記複数のチャネルの前記部分集合に対して、ダイアログ向上のための前記パラメータを使ってダイアログ向上を適用して、少なくとも一つのダイアログ向上された信号を提供する段階と；
前記少なくとも一つのダイアログ向上された信号に混合を受けさせて、前記複数のダウンミックス信号の前記部分集合のダイアログ向上されたバージョンを提供する段階とを含む、
方法。
〔態様２〕
前記複数のダウンミックス信号の前記部分集合をパラメトリックにアップミックスする段階において、ダイアログ向上のための前記パラメータが定義されている前記複数のチャネルの前記部分集合を再構成するために、脱相関された信号は使われない、態様１記載の方法。
〔態様３〕
前記混合は、前記少なくとも一つのダイアログ向上された信号の、前記複数のダウンミックス信号の前記部分集合のダイアログ向上されたバージョンへの寄与を記述する混合パラメータに従ってなされる、態様１記載の方法。
〔態様４〕
前記複数のダウンミックス信号の前記部分集合をパラメトリックにアップミックスする段階は、ダイアログ向上のための前記パラメータが定義されている前記複数のチャネルのほかに少なくとも一つのさらなるチャネルを再構成することを含み、前記混合は前記少なくとも一つのさらなるチャネルを、前記少なくとも一つのダイアログ向上された信号と混合することを含む、態様１ないし３のうちいずれか一項記載の方法。
〔態様５〕
前記複数のダウンミックス信号の前記部分集合をパラメトリックにアップミックスする段階は、ダイアログ向上のための前記パラメータが定義されている前記複数のチャネルの前記部分集合のみを再構成することを含み、
ダイアログ向上を適用する段階は、ダイアログ向上のための前記パラメータが定義されている前記複数のチャネルの前記部分集合からのダイアログ成分を、ダイアログ向上のための前記パラメータを使って予測し、向上させ、それにより前記少なくとも一つのダイアログ向上された信号を提供することを含み、
前記混合は、前記少なくとも一つのダイアログ向上された信号を前記複数のダウンミックス信号の前記部分集合と混合することを含む、
態様１ないし３のうちいずれか一項記載の方法。
〔態様６〕
ダイアログを表わすオーディオ信号を受領する段階をさらに含み、ダイアログ向上を適用する段階は、ダイアログ向上のための前記パラメータが定義されている前記複数のチャネルの前記部分集合に対して、さらに前記ダイアログを表わすオーディオ信号を使ってダイアログ向上を適用することを含む、態様１ないし５のうちいずれか一項記載の方法。
〔態様７〕
前記少なくとも一つのダイアログ向上された信号に混合を受けさせる段階のために混合パラメータを受領することをさらに含む、態様１ないし６のうちいずれか一項記載の方法。
〔態様８〕
前記複数のチャネルのそれぞれがどのダウンミックス信号に混合されるかを記述するダウンミックス方式を記述する混合パラメータを受領することを含む、態様１ないし７のうちいずれか一項記載の方法。
〔態様９〕
前記ダウンミックス方式が時間とともに変化する、態様８記載の方法。
〔態様１０〕
ダイアログ向上のための前記パラメータが定義されている前記複数のチャネルの前記部分集合を同定するデータを受領することをさらに含む、態様１ないし９のうちいずれか一項記載の方法。
〔態様１１〕
ダイアログ向上のための前記パラメータが定義されている前記複数のチャネルの前記部分集合を同定する前記データが、前記ダウンミックス方式とともに、ダイアログ向上のための前記パラメータが定義されている前記複数のチャネルの前記部分集合がダウンミックスされる先の前記複数のダウンミックス信号の前記部分集合を見出すために使われる、態様１０が態様８または９を引用する場合の態様１０記載の方法。
〔態様１２〕
前記複数のダウンミックス信号の前記部分集合をアップミックスする段階、ダイアログ向上を適用する段階および混合する段階は、それぞれ前記再構成パラメータ、ダイアログ向上のための前記パラメータおよび前記混合パラメータによって定義される行列演算として実行される、態様１ないし１１のうちいずれか一項記載の方法。
〔態様１３〕
前記複数のダウンミックス信号の前記部分集合をアップミックスする段階、ダイアログ向上を適用する段階および混合する段階に対応する行列演算を、前記複数のダウンミックス信号の前記部分集合への適用前に、行列乗算によって単一の行列演算に組み合わせることをさらに含む、態様１２記載の方法。
〔態様１４〕
前記ダイアログ向上パラメータおよび前記再構成パラメータが周波数依存である、態様１ないし１３のうちいずれか一項記載の方法。
〔態様１５〕
ダイアログ向上のための前記パラメータは、第一の集合の周波数帯域に関して定義されており、前記再構成パラメータは第二の集合の周波数帯域に関して定義されており、周波数帯域の前記第二の集合は周波数帯域の前記第一の集合とは異なる、態様１４記載の方法。
〔態様１６〕
ダイアログ向上のための前記パラメータの値が繰り返し受領され、それぞれの値が厳密に適用される時点の第一の集合に関連付けられており、連続する時点の間では、あらかじめ定義された第一の補間パターンが実行され、
前記再構成パラメータの値が繰り返し受領され、それぞれの値が厳密に適用される時点の第二の集合に関連付けられており、連続する時点の間では、あらかじめ定義された第二の補間パターンが実行され、
当該方法はさらに：
ダイアログ向上のためのパラメータまたは再構成パラメータのいずれかであるパラメータ型を選択する段階であって、選択された型に関連付けられた時点の集合が、選択されなかった型に関連付けられた集合に存在しない時点である少なくとも一つの予測時点を含む、段階と；
前記予測時点における選択されなかった型のパラメータの値を予測する段階と；
少なくとも選択されなかった型のパラメータの予測された値および選択された型のパラメータの受領された値に基づいて、前記予測時点における前記ダウンミックス信号の前記部分集合のアップミックスおよびそれに続くダイアログ向上を少なくとも表わす統合処理動作を計算する段階と；
少なくともいずれかが受領された値である選択された型のパラメータの値および選択されなかった型のパラメータの値に少なくとも基づいて、前記選択された型または選択されなかった型に関連付けられた集合における隣接する時点における前記統合処理動作を計算する段階とを含み、
前記複数のダウンミックス信号の前記部分集合をアップミックスする段階およびダイアログ向上を適用する段階は、前記予測時点と前記隣接する時点との間で、計算された統合処理動作の補間された値によって実行される、
態様１ないし１５のうちいずれか一項記載の方法。
〔態様１７〕
前記選択された型のパラメータは前記再構成パラメータである、態様１６記載の方法。
〔態様１８〕
前記隣接する時点における前記統合処理動作は、前記選択された型のパラメータの受領された値および前記選択されなかった型のパラメータの予測された値に基づいて計算される；
前記隣接する時点における前記統合処理動作が、前記選択された型のパラメータの予測された値および前記選択されなかった型のパラメータの受領された値に基づいて計算される、
のうちの一方が成り立つ、態様１６または１７記載の方法。
〔態様１９〕
前記隣接する時点における前記統合処理動作は、前記選択された型のパラメータの受領された値および前記選択されなかった型のパラメータの受領された値に基づいて計算される、態様１６または１７記載の方法。
〔態様２０〕
前記第一および第二の補間パターンに基づいて、あらかじめ定義された選択規則に従って統合補間パターンを選択する段階をさらに含み、
計算されたそれぞれの統合処理動作の前記補間は前記統合補間パターンに基づく、
態様１６ないし１９のうちいずれか一項記載の方法。
〔態様２１〕
前記あらかじめ定義された選択規則は、前記第一および第二の補間パターンが異なる場合について定義される、態様２０記載の方法。
〔態様２２〕
前記第一の補間パターンが線形であり、前記第二の補間パターンが区分一定であることに応答して、前記統合補間パターンとして線形補間が選択される、態様２１記載の方法。
〔態様２３〕
前記予測時点における前記選択されなかった型のパラメータの値の予測は、前記選択されなかった型のパラメータについての補間パターンに従ってなされる、態様１６ないし２２のうちいずれか一項記載の方法。
〔態様２４〕
前記統合処理動作は、前記複数のダウンミックス信号の前記部分集合に適用される前に、単一の行列演算として計算される、態様１６ないし２３のうちいずれか一項記載の方法。
〔態様２５〕
前記統合補間パターンとして線形補間が選択され；
計算されたそれぞれの統合処理動作の補間された値は線形行列補間によって計算される、
態様２４記載の方法。
〔態様２６〕
受領されたダウンミックス信号は時間フレームにセグメント分割されており、
当該方法は、定常状態動作では、各時間フレームにおける時点において厳密に適用されるそれぞれのパラメータ型の少なくとも一つの値を受領する段階を含む、
態様１６ないし２５のうちいずれか一項記載の方法。
〔態様２７〕
前記少なくとも一つのダイアログ向上された信号に混合を受けさせる段階が、前記複数のダウンミックス信号の完全でないセレクションに制約される、態様１ないし２６のうちいずれか一項記載の方法。
〔態様２８〕
態様１ないし２７のうちいずれか一項記載の方法を実行するための命令をもつコンピュータ可読媒体を有するコンピュータ・プログラム・プロダクト。
〔態様２９〕
オーディオ・システムにおいてダイアログを向上させるためのデコーダであって；
より多くの複数のチャネルのダウンミックスである複数のダウンミックス信号、
ダイアログ向上のためのパラメータであって、前記パラメータは、ダイアログを含むチャネルを含む前記複数のチャネルの部分集合に関して定義されており、前記複数のチャネルの前記部分集合は前記複数のダウンミックス信号の部分集合にダウンミックスされる、パラメータ、および
前記複数のダウンミックス信号の前記部分集合にダウンミックスされているチャネルのパラメトリック再構成を許容する再構成パラメータを受領するよう構成された受領コンポーネントと；
ダイアログ向上のための前記パラメータが定義されている前記複数のチャネルの前記部分集合を再構成するために、前記再構成パラメータに基づいて、パラメトリックに前記複数のダウンミックス信号の前記部分集合をアップミックスするよう構成されたアップミックス・コンポーネントと；
ダイアログ向上のための前記パラメータが定義されている前記複数のチャネルの前記部分集合に対して、ダイアログ向上のための前記パラメータを使ってダイアログ向上を適用して、少なくとも一つのダイアログ向上された信号を提供するよう構成されたダイアログ向上コンポーネントと；
前記少なくとも一つのダイアログ向上された信号に混合を受けさせて、前記複数のダウンミックス信号の前記部分集合のダイアログ向上されたバージョンを提供するよう構成された混合コンポーネントとを有する、
デコーダ。